(57)【要約】【課題】太陽電池パネルでの異常の発生を精度良く検出する。【解決手段】太陽光発電システム１の太陽電池パネル２での発電電力Ｐ１を実測する測定部１２と、太陽電池パネル２近傍での日射量を実測する日射量センサ１３と、太陽電池パネル２の温度を実測する温度センサ１４と、実測された日射量および実測された温度に基づいて太陽電池パネル２での理論発電電力Ｐ２を算出する論理電力算出処理、実測した発電電力Ｐ１と算出した理論発電電力Ｐ２とを比較して太陽電池パネル２での異常の発生の有無を検出する異常検出処理、および異常検出処理の検出結果を出力する出力処理を実行する処理部１５とを備えている。【選択図】図１
2014053337.tif 000002
【特許請求の範囲】
【請求項１】
太陽光発電システムの太陽電池パネルでの発電電力を実測する測定部と、
前記太陽電池パネル近傍での日射量を実測する日射量センサと、
前記太陽電池パネルの温度を実測する温度センサと、
前記実測された日射量および前記実測された温度に基づいて前記太陽電池パネルでの理論発電電力を算出する論理電力算出処理、前記実測した発電電力と前記算出した理論発電電力とを比較して前記太陽電池パネルでの異常の発生の有無を検出する異常検出処理、および当該異常検出処理の検出結果を出力する出力処理を実行する処理部とを備えている太陽電池パネルの異常検出装置。
【請求項２】
前記温度センサは、前記太陽電池パネルの裏面温度を実測する請求項１記載の太陽電池パネルの異常検出装置。
【発明の詳細な説明】
【技術分野】
【０００１】
本発明は、太陽光発電システムに使用されている太陽電池パネルでの異常の発生の有無を検出する太陽電池パネルの異常検出装置に関するものである。
【背景技術】
【０００２】
この種の太陽電池パネルの異常検出装置として、下記特許文献１には、日射量センサで検出された日射量に基づいて発電電力を算出すると共にこの発電電力を気温センサで検出された気温で補正して太陽電池（太陽電池パネル）での理論発電電力を算出し、この算出した理論発電電力と太陽電池で実際に発生している電力とを比較して、この比較によって得られた両電力の電力差が所定値より大きいときに太陽電池に異常（太陽電池の表面の汚損や、配線部や接続部での断線や短絡）が発生していると検出する太陽電池（太陽電池パネル）の異常検出装置が開示されている。
【先行技術文献】
【特許文献】
【０００３】
【特許文献１】特開２０００−４０８３８号公報（第２頁、第１図）
【発明の概要】
【発明が解決しようとする課題】
【０００４】
ところが、上記の太陽電池パネルの異常検出装置には、以下のような解決すべき課題が存在している。すなわち、この太陽電池パネルの異常検出装置では、日射量センサで検出された日射量に基づいて算出した発電電力を気温センサで検出された気温で補正して太陽電池パネルでの理論発電電力を算出しているが、太陽電池パネル自体の温度は、気温が同じであっても、太陽電池パネルの設置形態（太陽電池パネルの方位角や傾斜角）や太陽電池パネルの周囲の空気の流れ具合によって大きく変化する。このため、気温センサで検出された気温で補正して最終的な理論発電電力を算出する上記の太陽電池パネルの異常診断装置には、理論発電電力を精度よく算出することができないため、太陽電池パネルでの異常の発生を精度良く検出するのが困難であるという課題が存在している。
【０００５】
本発明は、かかる課題を解決するためになされたものであり、太陽電池パネルでの異常の発生を精度良く検出し得る太陽電池パネルの異常検出装置を提供することを主目的とする。
【課題を解決するための手段】
【０００６】
上記目的を達成すべく請求項１記載の太陽電池パネルの異常検出装置は、太陽光発電システムの太陽電池パネルでの発電電力を実測する測定部と、前記太陽電池パネル近傍での日射量を実測する日射量センサと、前記太陽電池パネルの温度を実測する温度センサと、前記実測された日射量および前記実測された温度に基づいて前記太陽電池パネルでの理論発電電力を算出する論理電力算出処理、前記実測した発電電力と前記算出した理論発電電力とを比較して前記太陽電池パネルでの異常の発生の有無を検出する異常検出処理、および当該異常検出処理の検出結果を出力する出力処理を実行する処理部とを備えている。
【０００７】
請求項２記載の太陽電池パネルの異常検出装置は、請求項１記載の太陽電池パネルの異常検出装置において、前記温度センサは、前記太陽電池パネルの裏面温度を実測する。
【発明の効果】
【０００８】
請求項１記載の太陽電池パネルの異常検出装置では、温度センサが太陽電池パネル自体の温度を精度良く実測する。したがって、この太陽電池パネルの異常検出装置によれば、このようにして精度良く実測された太陽電池パネル自体の温度に基づいて、処理部が太陽電池パネルでの理論発電電力を精度良く算出することができるため、この理論発電電力に基づいて太陽電池パネルでの異常の発生の有無をより精度良く検出することができる。
【０００９】
請求項２記載の太陽電池パネルの異常検出装置では、温度センサが太陽電池パネルの裏面温度を実測する。したがって、この太陽電池パネルの異常検出装置によれば、温度センサが直射日光による影響を避けて太陽電池パネル自体の温度をより一層精度良く実測することができるため、処理部が太陽電池パネルでの理論発電電力を一層精度良く算出することができる結果、この理論発電電力に基づいて太陽電池パネルでの異常の発生の有無をより一層精度良く検出することができる。
【図面の簡単な説明】
【００１０】
【図１】太陽光発電システム１、およびその太陽電池パネル２の異常検出装置１１の構成を示す構成図である。
【発明を実施するための形態】
【００１１】
以下、太陽電池パネルの異常検出装置の実施の形態について、添付図面を参照して説明する。
【００１２】
最初に、太陽電池を有する太陽光発電システム１の構成について、図１を参照して説明する。太陽光発電システム１は、一例として、複数の太陽電池パネル２、接続箱３、およびパワーコンディショナ４を備えている。各太陽電池パネル（太陽電池モジュール）２は、太陽電池２ａが複数枚直並列接続されてパネル状（平板状）に構成されることで形成されている。接続箱３は、各太陽電池パネル２から出力される出力電圧（直流電圧）を集めて、複数の太陽電池パネル２全体での出力電圧（直流電圧）Ｖｄｃとして、パワーコンディショナ４に出力する。パワーコンディショナ４は、一例として、ＤＣ／ＡＣコンバータおよび保護回路（いずれも図示せず）を備えて構成されて、接続箱３から出力される出力電圧Ｖｄｃを交流電圧Ｖａｃに変換して不図示の負荷（例えば、住宅内の電気機器）に出力する。
【００１３】
次に、太陽電池パネルの異常検出装置１１の構成について、図１を参照して説明する。
【００１４】
この異常検出装置１１は、測定部１２、日射量センサ１３、温度センサ１４、処理部１５、記憶部１６および表示部１７を備えている。
【００１５】
測定部１２は、接続箱３からパワーコンディショナ４に出力される出力電圧Ｖｄｃを電圧プローブ１２ａを介して測定する電圧測定機能、接続箱３からパワーコンディショナ４に出力される出力電流（直流電流）Ｉｄｃを電流プローブ１２ｂを介して測定する電流測定機能、並びに測定した出力電圧Ｖｄｃおよび出力電流Ｉｄｃに基づいて接続箱３からパワーコンディショナ４に出力される電力（つまり、すべての太陽電池パネル２での発電電力）Ｐ１を算出（実測）して出力する電力測定機能を備えている。
【００１６】
日射量センサ１３は、各太陽電池パネル２のうちのいずれか１つの近傍において、太陽電池パネル２の設置形態（太陽電池パネル２の方位角や傾斜角）と同じ設置形態で設置（配設）されて、現在の日射量を実測する。また、日射量センサ１３は、実測した日射量を示す検出信号Ｓｒを生成して、処理部１５に出力する。
【００１７】
温度センサ１４は、各太陽電池パネル２のうちのいずれか１つの裏面に配設されて、この１つの太陽電池パネル２の現在の裏面温度（裏面の温度）を直接的に実測する。また、温度センサ１４は、実測した裏面温度を示す検出信号Ｓｔ（つまり、太陽電池パネル２自体の温度を直接的に示す信号）として生成して、処理部１５に出力する。
【００１８】
なお、本例では、直射日光による影響を避けて、太陽電池パネル２自体の温度をより一層精度良く実測し得るように、直射日光の当たらない太陽電池パネル２の裏面に温度センサ１４を配設して、温度センサ１４の裏面温度を実測する構成を採用しているが、直射日光による影響が少ないときには、太陽電池パネル２の表面（太陽光の受光面側）に温度センサ１４を配設して、温度センサ１４で実測された表面の温度を示す検出信号Ｓｔを太陽電池パネル２自体の温度を示す信号して出力する構成を採用することもできる。この構成においても、気温を測定してこの気温で補正することで理論発電電力を算出する従来の方法と比較して、太陽電池パネル２自体の温度をより精度良く測定することが可能である。
【００１９】
処理部１５は、Ａ／Ｄ変換器およびＣＰＵを備えて（またはＤＳＰを備えて）構成されて、論理電力算出処理、異常検出処理および出力処理を実行する。この論理電力算出処理では、処理部１５は、日射量センサ１３から出力される検出信号Ｓｒに基づいて現在の日照量を算出し、かつ温度センサ１４から出力される検出信号Ｓｔに基づいて現在の太陽電池パネル２自体の温度（この例では裏面温度）を算出し、算出した現在の日射量および現在の裏面温度に基づいて、複数の太陽電池パネル２全体での理論発電電力（計算上の発電電力）Ｐ２を算出して、記憶部１６に記憶させる。
【００２０】
また、異常検出処理では、処理部１５は、測定部１２で実測された太陽電池パネル２での発電電力Ｐ１と、算出した太陽電池パネル２についての理論発電電力Ｐ２とを比較して、太陽電池パネル２での異常の発生の有無を検出する。また、出力処理では、処理部１５は、異常検出処理の検出結果（太陽電池パネル２に異常が発生しているか否かの検出結果）を本例では一例として表示部１７に出力する。
【００２１】
表示部１７は、一例として、液晶ディスプレイなどの表示装置で構成されて、処理部１５が実行した異常検出処理の検出結果を画面上に表示する。なお、この異常検出装置１１では、異常検出処理の検出結果を出力する一例として、表示部１７に出力する構成を採用しているが、検出結果を示す信号や情報を外部機器に出力する構成を採用することもできる。
【００２２】
次に、異常検出装置１１の動作について説明する。
【００２３】
異常検出装置１１では、処理部１５が、外部から検出実行指示を入力したとき、または予め規定された時間間隔で（本例では一例として、予め規定された時間間隔で）、上記の論理電力算出処理、異常検出処理および出力処理を実行する。
【００２４】
処理部１５は、最初に、論理電力算出処理を実行する。この論理電力算出処理では、処理部１５は、まず、日射量センサ１３から出力される検出信号Ｓｒを入力すると共にＡ／Ｄ変換器でデジタルデータに変換し、この変換したデジタルデータに基づいて現在の日照量を算出する。また、処理部１５は、温度センサ１４から出力される検出信号Ｓｔを入力すると共にＡ／Ｄ変換器でデジタルデータに変換し、この変換したデジタルデータに基づいて現在の太陽電池パネル２の裏面温度を算出する。次いで、処理部１５は、この算出した現在の日照量および現在の太陽電池パネル２の裏面温度と、公知の計算式（ＪＩＳＣ８９０７：２００５に規定されている発電電力を算出するための計算式）とに基づいて、複数の太陽電池パネル２全体での理論発電電力（計算上の発電電力）Ｐ２を算出して、記憶部１６に記憶させる。また、処理部１５は、理論発電電力Ｐ２の算出タイミングに合わせて、測定部１２から出力されている発電電力Ｐ１を取得して、記憶部１６に記憶させる。
【００２５】
次いで、処理部１５は、異常検出処理を実行する。この異常検出処理では、処理部１５は、記憶部１６に記憶されている発電電力Ｐ１と理論発電電力Ｐ２とを比較して、太陽電池パネル２での異常の発生の有無を検出する。具体的には、処理部１５は、まず、記憶部１６に記憶されている発電電力Ｐ１と理論発電電力Ｐ２とから双方の電力差（＝Ｐ２−Ｐ１）を算出する。この場合、太陽電池パネル２での発電電力Ｐ１は、表面の汚損や、配線部や接続部での断線や短絡などの異常が太陽電池パネル２に発生しているときには、正常な状態のときの発電電力を大きく下回る。したがって、太陽電池パネル２に異常が発生しているときには、この電力差が大きくなる。このため、処理部１５は、算出した電力差（＝Ｐ２−Ｐ１）と予め規定された電力値とを比較して、算出した電力差がこの規定された電力値以上のときには、太陽電池パネル２に異常が発生していると判別して（太陽電池パネル２での異常の発生を検出して）、その旨を記憶部１６に記憶させる。一方、処理部１５は、算出した電力差が規定された電力値未満のときには、太陽電池パネル２は正常であると判別して、その旨を記憶部１６に記憶させる。
【００２６】
最後に、処理部１５は出力処理を実行して、異常検出処理での検出結果を表示部１７に表示させる。この異常検出装置１１では、処理部１５は、上記の論理電力算出処理において、現在の日照量と現在の太陽電池パネル２の裏面温度とに基づいて現在の理論発電電力Ｐ２をより精度良く算出するため、異常検出処理において、太陽電池パネル２での異常の発生の有無をより精度良く検出可能となっている。これにより、異常検出装置１１の操作者は、処理部１５による出力処理の実行によって表示部１７に表示される異常検出処理での検出結果に基づいて、太陽電池パネル２での異常の発生を精度良く検出することが可能となっている。
【００２７】
このように、この太陽電池パネル２の異常検出装置１１では、太陽電池パネル２に配設された温度センサ１４が、太陽電池パネル２自体の温度を精度良く実測する。したがって、この異常検出装置１１によれば、このようにして精度良く実測された太陽電池パネル２自体の温度に基づいて、処理部１５が太陽電池パネル２での理論発電電力Ｐ２を精度良く算出することができるため、この理論発電電力Ｐ２に基づいて太陽電池パネル２での異常の発生の有無をより精度良く検出することができる。
【００２８】
また、この異常検出装置１１では、温度センサ１４が、太陽電池パネル２の裏面に配設されて、太陽電池パネル２の裏面温度を実測する。したがって、この異常検出装置１１によれば、温度センサ１４が直射日光による影響を避けて太陽電池パネル２自体の温度をより一層精度良く実測することができるため、処理部１５が太陽電池パネル２での理論発電電力Ｐ２を一層精度良く算出することができる結果、この理論発電電力Ｐ２に基づいて太陽電池パネル２での異常の発生の有無をより一層精度良く検出することができる。
【００２９】
なお、上記の異常検出装置１１では、測定部１２が、接続箱３からパワーコンディショナ４に出力される出力電圧Ｖｄｃを電圧プローブ１２ａを介して測定すると共に、接続箱３からパワーコンディショナ４に出力される出力電流（直流電流）Ｉｄｃを電流プローブ１２ｂを介して測定することで、すべての太陽電池パネル２での発電電力Ｐ１を一括して測定する構成を採用しているが、本発明の構成はこれに限定されない。例えば、測定部１２が１つの太陽電池パネル２から出力される出力電圧（直流電圧）と出力電流（直流電流）とを測定することで、この太陽電池パネル２での発電電力Ｐ１を測定し、処理部１５が、１つの太陽電池パネル２での理論発電電力Ｐ２を算出し、この算出した理論発電電力Ｐ２と、測定部１２で測定された１つの太陽電池パネル２での発電電力Ｐ１とに基づいて、太陽電池パネル２での異常の発生の有無を太陽電池パネル２毎に検出する構成を採用することもできる。
【符号の説明】
【００３０】
１  太陽光発電システム
２  太陽電池パネル
２ａ  太陽電池
１２  測定部
１３  日射量センサ
１４  温度センサ
１５  処理部
Ｐ１  発電電力
Ｐ２  理論発電電力
【図１】
2014053337.tif 000003